(57)【要約】      （修正有）【課題】植木鉢と植木鉢支持具の自重を利用して、ベランダ柵等の支柱の任意の高さに植木鉢を支持する植木鉢支持具に関する発明で、その構成部品の殆どを１枚の板から切り抜いて作ることが出来、水平方向、回転させる力が加わっても支持具が支柱から外れない構造を実現した。本発明に最も近い先行技術では、水平方向の力が加わると簡単に支持具が支柱から外れてしまうし、径の異なる植木鉢を支持する考慮が無かった。また、ベランダ柵等の支柱間隔および支柱径に制約を受ける構造である。【解決手段】ベランダ柵等の支柱を挟み込む切れ込みの方向を工夫したり、留め具を工夫することにより、水平方向或いは回転させる方向の力が加わっても支持具が支柱から外れないようにした。更には、支柱を板の切込みに挟むのではなく、閂（かんぬき）と閂の通る穴を設けてそれで支持具を支柱に固定する構造により、支柱間隔や支柱径による制約を緩和した。【選択図】図１
2007289127.tif 000002
【特許請求の範囲】
【請求項１】
植木鉢および植木鉢支持具の自重を利用してベランダ柵等の支柱を押さえて植木鉢を任意の高さに固定する植木鉢支持具において、1枚の板に植木鉢を挿入する穴、ベランダ柵等の支柱に差し込むための切り込みを板の左右端より支柱の並ぶ面と平行に入れ、左右切り込みの先端間の距離がベランダ柵等の間隔と同じに長さにすることを特長とする植木鉢支持具。（図３）
【請求項２】
植木鉢および植木鉢支持具の自重で、支柱を押さえて植木鉢を任意の高さに固定する植木鉢支持具において、1枚の板に植木鉢を挿入する穴、ベランダ柵等の支柱に差し込むための切り込みを、板の後端より支柱の並ぶ面と垂直に２本、ベランダ柵等の支柱と同間隔に入れ、支柱に支持具を送入後、支柱を挟むように留め具（図５B  ５）を装着して植木鉢を支持することを特長とする植木鉢支持具。（図５）
【請求項３】
植木鉢および植木鉢支持具の自重で、支柱を押さえて植木鉢を任意の高さに固定する植木鉢支持具において、1枚の板より植木鉢支持具構成部品全てを切り出し、それら構成部品を組み合わせて立体的な植木鉢支持具とすること特長とする植木鉢支持具。（図６  A、B、C））
【請求項４】
植木鉢および植木鉢支持具の自重で、支柱を押さえて植木鉢を任意の高さに固定する請求項１、請求項２、請求項３の植木鉢支持具において、小口径の植木鉢に対応できる補助板を設けることを特長とする植木鉢支持具。
【発明の詳細な説明】
【技術分野】
【０００１】
本発明は、植木鉢および植木鉢支持具の自重で、ベランダ柵等の支柱を押さえて植木鉢を任意の高さに固定する植木鉢支持具に関するもので、１枚の板から製作でき、植木鉢以外の外力がかかっても、支柱から支持具が外れない特長を有する。
【背景技術】
【０００２】
植木鉢及び支持具の自重を利用して、支持具に設けた切込みでベランダ柵等の支柱を押さえ込み任意の高さに植木鉢を固定する植木鉢支持具は多くの考案がある。
本発明に最も近い考案では１枚の板に、植木鉢送入穴と支柱を送入／押さえ込むための切込みが、『  状に２本設けられ、設置／取り外しが容易で、構造がシンプルで製造し易く、商品として保存／陳列するのに場所を取らない等優れた特長がある先行技術がある。
【発明の開示】
【発明が解決しようとする課題】
【０００３】
ベランダ柵等の支柱に植木鉢を任意の高さに固定する先行技術で、シンプルな構造で、容易に製作でき、保存に場所をとらないという優れた特長を持っている一方、次のような問題を抱えている。本発明ではそれらの問題を解決した。
【０００４】
＜発明で解決しようとする課題１＞
本発明に最も近い先行技術の例として特開平09-103350の構造を図１A、Bに示した。
切込みが直角に２箇所設けられ強度が低くなるという問題があった。
この問題を解決するのが本発明の課題１である。
【０００５】
＜発明で解決しようとする課題２＞
植木鉢支持具を支柱に挿入／固定するための切込みが直角になっているために、装着が簡単であるという長所が、逆に、支持具に水平方向の力がかかると簡単に支柱から外れ落ちてしまうという問題があった。
この問題を解決するのが本発明の課題２である。
【０００６】
＜発明で解決しようとする課題３＞
構造をシンプルにする。製作を容易にする。１枚の板から製作する。ということに拘るためか、最終製品が１枚の板状で、２本の支柱の間隔、支柱太さに合わせた切込みになっている。このために、支柱間隔および、支柱太さが異なるところには使用できないという問題があった。
この問題を解決するのが本発明の課題３である。
【０００７】
＜発明で解決しようとする課題４＞
植木鉢を挿入するため支持具に円形の穴を設けているが、この穴径より小さな植木鉢は穴を通り抜けてしまうので、広い範囲の大きさの植木鉢に適用することが出来ないという問題があった。
この問題を解決するのが本発明の課題４である。
【課題を解決するための手段】
【０００８】
そこで、本発明は上記課題を解決するため、種々工夫をした。
【０００９】
＜課題１を解決する手段＞
本発明に最も近い先行技術  特開平09-103350  では、ベランダ柵等の支柱に図１Aの如く植木鉢支持具の切込みを合わせて、A方向に移動させ切り込みに支柱を挿し込み、次いでBの方向に移動して支柱を挟み込む構造になっている。そのため直交する２つの切り込みがつながっていることが必要で切り込み面積が大きくなり、強度は弱くなってしまう。
本発明では、図３に示す如く切り込みを板の左右両端より直線状に設けたので、強度の低下を少なく抑えることができた。
図３の支持具の場合、図４Bの如く、ベランダ柵等の支柱の間に、支持具を挿入してから回転させて、支柱を切り込みに挟み込むようにしてセットするので、支持具に水平方向の力がかかっても、左右の切込みが支柱に当たり移動しない。即ち、先行技術のように簡単に外れて落下すようなことも防止できる。
【００１０】
＜課題２を解決する手段＞
図３の支持具は、水平に移動しないので、先行技術のようには簡単に支柱から支持具が外れることはないが、装着するときと同じように回転させる力が働くと、支柱から支持具が外れてしまう。
それを防ぐために、図４Aの如く支柱を押さえ込むように留め具５を設けた。
留め具５は、差込／引抜が出来るようなピンまたはネジで支持具板に固定すると良い。
また、図５Aに示したように、ベランダ柵等の支柱が並ぶ面に垂直な切込みを持つ支持具の場合は、支持具を移動して切込みに支柱を挿入しただけでは、植木鉢および支持具の自重により、切込みが支柱を押さえ込む力が発生しないので、図５Bおよび図５Cに示したように留め具を設けることで支柱を押さえ込むようにした。
支持具上面では支柱より奥の位置に、支持具下面では支柱より手前に止め具を設置することにより、植木鉢および支持具の自重で支柱を押さえ込む力を発生させることが出来る。
以上のように、留め具５を設けることにより植木鉢支持具を回転する力が加わっても、支持具が支柱からはずれ落ちることが防止できる。
【００１１】
＜課題３を解決する手段＞
１枚の板を用いて図６Aに示す線に沿って切ると、図６Bに示す如く５個の部品が得られる。この部品Aに切り込みA1に、部品Bの切り込みB1を、B2が上になるように挿し込む。部品Aと部品Bとが組み合わされた物を、ベランダ柵等の支柱の隙間に、Bを挿入して、柵の後ろに出た部品Bの切り込みB2に、部品D １本を通す。次いで、柵の手前に部品Bの切り込みB2が来るようにして、部品DをB2に通す。
最後に、部品Aの植木鉢挿入穴に植木鉢を入れると、図６Cの如く、植木鉢および植木鉢支持具の自重により、植木鉢を支柱の任意の高さに固定することの出来る植木鉢指示具として働くことが示されている。
図６Aに示した通り、部品Aの切り込みA1の間隔は、ベランダ柵等の支柱の間隔と合わせる必要がない。柵の支柱間隔が部品Dより狭ければ、設置出来る。
母材の長方形の板の長辺から部品Dを切り取れば、柵の間隔が長くなっても対応できる。部品Dを母材から切り取ることに拘らないなら、更にベランダ柵等の支柱間隔が更に広くなっても対応できるという特長がある。
【００１２】
＜課題４を解決する手段＞
１枚の板に拘り、植木鉢を挿入する穴をあけると穴径は１つに決まってしまうので、その径より小さな植木鉢を支持することは出来なかった。これを解決するため、図７A、図７Bのように、支持具にあけた穴径より大きな円板でその中に小口径の植木鉢支持に適した穴を開けた補助板を置くことにより、小口径の植木鉢も支持出来るようにした。
補助板の中心と、支持具にあけた元の大きな径の穴と中心が一致して、ずれないように固定するために案内のピン（図７A、B、Cおよび図８の８）をもけると良い。
以上で、本発明に最も近い先行技術の問題点を指摘して、本発明によってその問題点を解決できることを示した。
【発明の効果】
【００１３】
本発明によって、植木鉢および植木鉢支持具の自重を利用してベランダ柵等の支柱の任意の高さに植木鉢を固定支持する植木鉢支持具を実現した。
しかも、１枚板から製作することが出来るようになし、水平方向または回転させるような力が加わっても支柱から外れ落ちるようなことがないものにすることが出来た。  
【発明を実施するための最良の形態】
【００１４】
１枚の板を用いて製作が簡単で水平方向の力が働いても、支柱から外れて落下するという問題を解決した点では、図３、図４の構造が好ましい。
少々構造は複雑であるが、１枚の板から材料を無駄にしないで構成部品の全てを作ることが出来、しかも、ベランダ柵等の支柱間隔にあまり影響を受けずに広く対応できるという点では図６の構造が好ましい。
【産業上の利用可能性】
【００１５】
ベランダに植木鉢を置いて、草花を育てる楽しむ人は多いが、ベランダの床に植木鉢を並べてしまうと歩行の邪魔になるし、室内からの視野に入らないという問題がある。
本発明の植木鉢支持具を利用すると、ベランダ柵の支柱を利用してベランダの垂直面を利用して草花を配置できるので、ベランダの歩行の邪魔にならず、室内からの視野に入る高さに草花を置くことが可能になる。このような商品は園芸店でも植木鉢とともに販売できる商品になるであろう。
【図面の簡単な説明】
【００１６】
【図１】本発明に最も近い先行技術を示した。
【図２】植木鉢および植木鉢支持具の自重により、支柱の任意の高さに固定出来る原理を示した。
【図３】本発明の基本形の一つを示した。
【図４】本発明の基本形に回転させるような力が加わっても支柱から外れないように留め具を追加した構造を示した。
【図５】ベランダ柵の面と垂直な切り込みでも、閂状に留め具を設ける図を示した。
【図６】１枚の板から構成部品を切り抜き立体的な植木鉢支持具を作る図を示した。
【図７】径の異なる植木鉢に対応出来るように補助板を設ける図を示した。。
【図８】小さな植木鉢が支持できない場合に補助板を利用したところを図示した。
【符号の説明】
【００１７】
１    植木鉢を挿入する穴
２    植木鉢支持具の板
３    ベランダ柵等の支柱を挟み込む切り込み
４    ベランダ柵等の支柱
５    植木鉢支持具が支柱から外れるのを防ぐ留め具
６    植木鉢支持具が支柱から外れるのを防ぐ留め具（閂  かんぬき）
７    補助板
８    支持具本体の植木鉢を挿入する穴と補助板との中心を合わせる固定するガイドピン
【図１】
2007289127.tif 000003
【図２】
2007289127.tif 000004
【図３】
2007289127.tif 000005
【図４】
2007289127.tif 000006
【図５】
2007289127.tif 000007
【図６】
2007289127.tif 000008
【図７】
2007289127.tif 000009
【図８】
2007289127.tif 000010